(57)【要約】      （修正有）【課題】携帯端末の表示器に表示される光学的情報を読み取る際に、携帯端末を読取窓に確実に導くことで、当該携帯端末の損傷を確実に防止する。【解決手段】光学的情報読取装置１０は、ケース１１に、読取窓１２に近接する周辺部１３から外方に突出する１対の突出部１４ａ，１４ｂが読取窓１２を介在させて形成されている。そして、突出部１４ａ，１４ｂは、読取窓１２から離れるほど外方に高くなるように傾斜する傾斜面１５ａ，１５ｂを備えている。【選択図】図１
2011170432.tif 000002
【特許請求の範囲】
【請求項１】
携帯端末の表示器に表示された光学的情報に対して照明光を照射し、前記光学的情報からの反射光を、ケースに支持される読取窓を介して読み取る光学的情報読取装置であって、
前記ケースには、前記読取窓に近接する周辺部から外方に突出する１対の突出部が当該読取窓を介在させて形成され、
前記突出部は、前記読取窓から離れるほど外方に高くなるように傾斜する傾斜面を備えることを特徴とする光学的情報読取装置。
【請求項２】
前記傾斜面は、凸曲面状に形成されることを特徴とする請求項１に記載の光学的情報読取装置。
【請求項３】
前記周辺部は、前記１対の突出部を除き、一部の外方への高さが残部よりも相対的に低く形成されることを特徴とする請求項１又は請求項２に記載の光学的情報読取装置。
【請求項４】
前記周辺部の前記一部は、前記読取窓から離れるほど前記残部に対してより低くなるように傾斜して形成されることを特徴とする請求項３に記載の光学的情報読取装置。
【請求項５】
前記周辺部には、前記１対の突出部に加えて、さらに１つ以上の突出部が形成されることを特徴とする請求項１〜４のいずれか一項に記載の光学的情報読取装置。
【請求項６】
前記傾斜面は、前記読取窓に近接する一部が外方へ突出することを特徴とする請求項１〜５のいずれか一項に記載の光学的情報読取装置。
【発明の詳細な説明】
【技術分野】
【０００１】
本発明は、光学的情報読取装置に関するものである。
【背景技術】
【０００２】
近年、携帯電話等の携帯端末の表示器に表示されるバーコードや２次元コード等の光学的情報を、据え置き型の光学的情報読取装置で読み取ることが行われている。例えば、このような据え置き型の光学的情報読取装置は、一般的に、ケース内にＬＥＤやレンズから構成される照明部を備えており、この照明部から照射される照射光がガラスや透光性の樹脂からなる読取窓を介して外部に照射されるように構成されている。そして、使用者が携帯端末を手に持ち、光学的情報が表示されている表示器が読取窓に面するように当該携帯端末を読取窓に近づけると、光学的情報に照明部から照射光が照射されて当該光学的情報の読み取りが行われる。
【０００３】
ところで、このように据え置き型の光学的情報読取装置に携帯端末を直接近づけて当該携帯端末の表示器に表示される光学的情報を読み取る場合、使用者が携帯端末を光学的情報読取装置のケースや読取窓に接触させることがあり、携帯端末の表示器が損傷する虞があった。
【０００４】
そこで、例えば、特許文献１には、読取口の周囲に緩衝材を備えた光学的情報読取装置が開示されている。この光学的情報読取装置は、略台形形状の樹脂製筐体の上面に矩形形状のガラス製読取口を備えており、読取口の近傍には支柱により筐体に対して上下方向に伸縮可能に保持される緩衝材が設けられている。また、この緩衝材は、可撓性を有するウレタン製の上板と、硬質樹脂製の下板とからなり、上板と下板との間に圧力センサが収容されている。そして、圧力センサにより携帯電話が緩衝材に載置されたことが検出された際に、携帯電話の表示器に表示された光学的情報の読み取りを開始している。
【先行技術文献】
【特許文献】
【０００５】
【特許文献１】特開２００７−１８８３０４号公報
【発明の概要】
【発明が解決しようとする課題】
【０００６】
しかしながら、上記特許文献１では、携帯電話の表示器に表示された光学的情報を読み取る際に、緩衝材が邪魔して読み取りにくいため、無理に携帯電話を読取装置に当てようとして、携帯電話が損傷する虞があった。また、このように、光学的情報の読み取り毎に携帯電話が緩衝材上に置かれるため、緩衝材が消耗しやすく耐久性が低下する虞があった。さらに、上記特許文献１では、上板と下板の２層からなる緩衝材と、圧力センサとを備えるため、コストがかかるといった問題もあった。
【０００７】
本発明は、上述した課題を解決するためになされたものであり、その目的とするところは、携帯端末の表示器に表示される光学的情報を読み取る際に、携帯端末を読取窓に確実に導くことで、当該携帯端末の損傷を確実に防止し得る光学的情報読取装置を提供することにある。
【課題を解決するための手段】
【０００８】
上記目的を達成するため、特許請求の範囲に記載の請求項１の光学的情報読取装置では、携帯端末の表示器に表示された光学的情報に対して照明光を照射し、前記光学的情報からの反射光を、ケースに支持される読取窓を介して読み取る光学的情報読取装置であって、前記ケースには、前記読取窓に近接する周辺部から外方に突出する１対の突出部が当該読取窓を介在させて形成され、前記突出部は、前記読取窓から離れるほど外方に高くなるように傾斜する傾斜面を備えることを特徴とする。
【０００９】
請求項２の発明は、請求項１に記載の光学的情報読取装置において、前記傾斜面は、凸曲面状に形成されることを特徴とする。
【００１０】
請求項３の発明は、請求項１又は２に記載の光学的情報読取装置において、前記周辺部は、前記１対の突出部を除き、一部の外方への高さが残部よりも相対的に低く形成されることを特徴とする。
【００１１】
請求項４の発明は、請求項３に記載の光学的情報読取装置において、前記周辺部の前記一部は、前記読取窓から離れるほど前記残部に対してより低くなるように傾斜して形成されることを特徴とする。
【００１２】
請求項５の発明は、請求項１〜請求項４のいずれか一項に記載の光学的情報読取装置において、前記周辺部には、前記１対の突出部に加えて、さらに１つ以上の突出部が形成されることを特徴とする。
【００１３】
請求項６の発明は、請求項１〜請求項５のいずれか一項に記載の光学的情報読取装置において、前記傾斜面は、前記読取窓に近接する一部が外方へ突出することを特徴とする。
【発明の効果】
【００１４】
請求項１の発明では、ケースには、読取窓に近接する周辺部から外方に突出する１対の突出部が読取窓を介在させて形成されている。そして、突出部は、読取窓から離れるほど外方に高くなるように傾斜する傾斜面を備えている。これにより、携帯端末の表示器に表示される光学的情報を読み取る際に、傾斜面を備えた１対の突出部が、携帯端末を当該１対の突出部の間に設けられる読取窓へ確実に導くことができる。
また、携帯端末が突出部に接触した場合であっても、携帯端末と接触する突出部の面には角張った部分がないため、当該携帯端末の損傷を確実に防止することができる。さらに、このとき、携帯端末の表示器の周囲の部材（例えばケース）のみが突出部に接触し、携帯端末の表示器は読取装置のケースや読取窓に接触しないため、携帯端末の表示器が傷付く虞がない。
【００１５】
請求項２の発明では、傾斜面が凸曲面状に形成されている。これにより、携帯端末が突出部と接触する場合、携帯端末は突出部と点で接触するため、携帯端末が突出部と面や線で接触する場合に比べて接触面積が小さくなり、当該携帯端末の損傷をより確実に防止することができる。
【００１６】
請求項３の発明では、周辺部は、１対の突出部を除き、一部の外方への高さが残部よりも相対的に低く形成されている。このように、読取窓に近接する周辺部の一部が、他の部分に比べて相対的に低くなっているので、携帯端末の表示器に表示される光学的情報を読み取る際に、使用者がこの低くなっている部分に手を入れて、携帯端末を読取窓に近づけることができる。このため、使用者の手がケースと干渉し難くなり、携帯端末を読取窓に確実に導くことができる。
【００１７】
請求項４の発明では、さらに、周辺部の一部は、読取窓から離れるほど残部に対してより低くなるように傾斜して形成されている。このように、読取窓に近接する周辺部の一部が、他の部分に比べてさらに傾斜して形成されているので、携帯端末の表示器に表示される光学的情報を読み取る際に、使用者が携帯端末を読取窓に近づけるときに、使用者の手がケースとより干渉し難くなり、携帯端末を読取窓により確実に導くことができる。
【００１８】
請求項５の発明では、１対の突出部に加えて、さらに１つ以上の突出部が形成されている。これにより、読取窓に近接する周辺部には、少なくとも３つ以上の突出部が形成されているので、携帯端末の表示器に表示される光学的情報を読み取る際に、使用者が携帯端末を読取窓に近づけるときに、携帯端末を所望の位置に位置決めしやすくなる。
【００１９】
請求項６の発明では、傾斜面は、読取窓に近接する一部が外方へ突出するように形成されている。すなわち、この構成により、読取窓に近接する傾斜面の一部に段部ができることとなり、携帯端末の表示器に表示される光学的情報を読み取る際に、使用者が誤って携帯端末を当該読取装置上へ傾斜面に沿うように落下させてしまっても、この段部で携帯端末が受け止められる。このため、携帯端末が読取窓に接触せず、携帯端末の損傷を確実に防止することができるとともに、読取窓の損傷も防止することができる。
【図面の簡単な説明】
【００２０】
【図１】第１実施形態に係る光学的情報読取装置１０を概略的に示す斜視図である。
【図２】第１実施形態に係る光学的情報読取装置１０の電気的構成を示すブロック図である。
【図３】第１実施形態に係る光学的情報読取装置１０において、携帯端末５０の表示器Ｒに表示された光学的情報Ｑを読み取る様子を示す説明図であり、図３（Ａ）は携帯端末５０を読取窓１２に近づけた状態を示す斜視図であり、図３（Ｂ）は携帯端末５０が光学的情報読取装置１０に置かれた様子を示す背面図である。
【図４】第１実施形態における変形例に係る光学的情報読取装置１０を概略的に示す斜視図である。
【図５】第２実施形態に係る光学的情報読取装置１０を概略的に示す斜視図である。
【図６】第２実施形態に係る光学的情報読取装置１０に、携帯端末５０が置かれた様子を示す図であり、図６（Ａ）は光学的情報読取装置１０の背面図であり、図６（Ｂ）は光学的情報読取装置１０の側面図である。
【図７】第３実施形態に係る光学的情報読取装置１０を概略的に示す斜視図である。
【図８】第４実施形態に係る光学的情報読取装置１０を概略的に示す斜視図である。
【図９】第５実施形態に係る光学的情報読取装置１０を概略的に示す斜視図である。
【図１０】第５実施形態における変形例に係る光学的情報読取装置１０を概略的に示す斜視図である。
【図１１】第６実施形態に係る光学的情報読取装置１０を概略的に示す図であり、図１１（Ａ）は光学的情報読取装置１０の斜視図であり、図１１（Ｂ）は光学的情報読取装置１０に携帯端末５０が置かれた様子を示す背面図である。
【図１２】第１実施形態における他の変形例に係る光学的情報読取装置１０を概略的に示す斜視図である。
【発明を実施するための形態】
【００２１】
以下、本発明に係る光学的情報読取装置の実施形態について図を参照して説明する。
［第１実施形態］
本発明の第１実施形態について図１〜３を参照して説明する。図１に示すように、光学的情報読取装置１０は、ＡＢＳ樹脂等の合成樹脂により形成されるケース１１を備えている。このケース１１の内部には、主に携帯端末５０の表示器Ｒに表示されるバーコードや２次元コード等の光学的情報Ｑの読み取りを行う回路２０（後述）が収容されている。
【００２２】
そして、ケース１１には、矩形状の読取窓１２が設けられている。この読取窓１２は、当該読取装置１０から出射される照明光および光学的情報Ｑからの反射光を透過可能な透明のアクリル樹脂やガラス等から形成されている。また、読取窓１２をケース１１に設けることにより、ケース１１内部への塵や埃などの異物の侵入を防止している。
【００２３】
ケース１１のうち読取窓１２に近接する周辺部１３には、１対の突出部１４ａ，１４ｂが設けられている。この突出部１４ａ，１４ｂは、読取窓１２を介在させて、この読取窓１２に近接する周辺部１３から互いに外方へ突出するように形成されている。さらに、突出部１４ａ，１４ｂには、読取窓１２から離れるほど外方に高くなるように傾斜する傾斜面１５ａ，１５ｂがそれぞれ形成されている。この突出部１４ａ，１４ｂは、製造性の観点から、ケース１１と一体的に形成されることが望ましい。
【００２４】
次に、光学的情報読取装置１０の回路２０の電気的構成について説明する。
図２に示すように、回路２０は、主に、照明光源２１、受光センサ２８、結像レンズ２７等の光学系と、メモリ３５、制御回路４０等のマイクロコンピュータ（以下「マイコン」という）系と、から構成されている。
【００２５】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、光学的情報Ｑが表示された携帯端末の表示器Ｒに向けて照明光Ｌｆを照射する例を概念的に示している。なお、照明光Ｌｆは、上述のように、読取窓１２を介してケース１１外へ出射される。
【００２６】
受光光学系は、受光センサ２８、結像レンズ２７、反射鏡（図示略）などによって構成されている。受光センサ２８は、ＣＣＤエリアセンサとして構成されるものであり、光学的情報Ｑまたは表示器Ｒに照射されて反射した反射光Ｌｒを受光可能に構成されている。この受光センサ２８は、結像レンズ２７を介して入射する入射光を受光可能にプリント配線板（図示略）に実装されている。
【００２７】
結像レンズ２７は、外部から読取窓１２を介して入射する入射光を集光して受光センサ２８の受光面２８ａに像を結像可能な結像光学系として機能するものである。本第１実施形態では、照明光源２１から照射された照明光Ｌｆが光学的情報Ｑにて反射した後、この反射光Ｌｒを結像レンズ２７で集光し、受光センサ２８の受光面２８ａに光学的情報Ｑの像を結像させている。
【００２８】
マイコン系は、増幅回路３１、Ａ／Ｄ変換回路３３、メモリ３５、アドレス発生回路３６、同期信号発生回路３８、制御回路４０等から構成されており、主に、上述した光学系によって、撮像された光学的情報Ｑの画像信号を信号処理するように構成されている。
【００２９】
次に、上述のように構成される光学的情報読取装置１０により、携帯端末５０の表示器Ｒに表示された光学的情報Ｑが読み取られる様子を説明する。
図３（Ａ）に示すように、携帯端末５０が読取窓１２に近づけられると、光学的情報読取装置１０に設けられる近接センサ等の検出センサにより携帯端末５０が検出されて、読取窓１２を介して携帯端末５０の表示器Ｒに向けて照明光Ｌｆが出射されて、表示器Ｒに表示される光学的情報Ｑが読み取られる。
【００３０】
上述したように、本第１実施形態では、図３（Ｂ）に示すように、読取窓１２から離れるほど外方に高くなるように傾斜する傾斜面１５ａ，１５ｂを備えた突出部１４ａ，１４ｂが、ケース１１のうち読取窓１２に近接する周辺部１３に形成されており、ケース１１の読取窓１２の周辺部１３は、読取窓１２の短手方向に沿った断面の形状が、読取窓１２を谷底にして盆地状となっている。このため、携帯端末５０の表示器Ｒに表示される光学的情報Ｑを読み取る際に、携帯端末５０の表示器Ｒを読取窓１２の所望の位置（表示器Ｒに表示された光学的情報Ｑが読取窓１２内に入る位置）へ確実に導くことができる。
【００３１】
また、図３（Ｂ）は、携帯端末５０が光学的情報読取装置１０に置かれた様子を示している。このように、携帯端末５０が光学的情報読取装置１０に置かれた場合であっても、携帯端末５０のケース５１（表示器Ｒを支持する周囲の部材）のみが傾斜面１５ａ，１５ｂに接触し、表示器Ｒは傾斜面１５ａ，１５ｂと接触しないため、携帯端末５０の表示器Ｒの傷付きを防止することができる。さらに、携帯端末５０のケース５１が接触する傾斜面１５ａ，１５ｂには角張った部分がないため、携帯端末５０が光学的情報読取装置１０に置かれても、携帯端末５０の損傷を確実に防止することができる。
【００３２】
以上説明したように、本第１実施形態に係る光学的情報読取装置１０は、ケース１１に、読取窓１２に近接する周辺部１３から外方に突出する１対の突出部１４ａ，１４ｂが読取窓１２を介在させて形成されている。そして、突出部１４ａ，１４ｂは、読取窓１２から離れるほど外方に高くなるように傾斜する傾斜面１５ａ，１５ｂを備えている。これにより、携帯端末５０の表示器Ｒに表示される光学的情報Ｑを読み取る際に、傾斜面１５ａ，１５ｂを備えた１対の突出部１４ａ，１４ｂが、携帯端末５０を当該１対の突出部１４ａ，１４ｂの間に設けられる読取窓１２へ確実に導くことができる。
また、携帯端末５０が突出部１４ａ，１４ｂに接触した場合であっても、携帯端末５０と接触する突出部１４ａ，１４ｂの傾斜面１５ａ，１５ｂには角張った部分がないため、当該携帯端末５０の損傷を確実に防止することができる。さらに、このとき、携帯端末５０のケース５１のみが突出部１４ａ，１４ｂに接触し、携帯端末５０の表示器Ｒは光学的情報読取装置１０のケース１１や読取窓１２に接触しないため、携帯端末５０の表示器Ｒが傷付く虞がない。
【００３３】
次に、本発明の第１実施形態における変形例に係る光学的情報読取装置１０について、図４を参照して説明する。
本第１実施形態における変形例では、図４に示すように、ケース１１のうち読取窓１２に近接する周辺部１３に設けられる突出部１１４ａ，１１４ｂには、上述した第１実施形態と同様に、読取窓１２から離れるほど外方に高くなるように傾斜する傾斜面１１５ａ，１１５ｂがそれぞれ形成されている。そして、本変形例では、この突出部１１４ａ，１１４ｂ同士の距離が、読取窓１２の長手方向中央から両端に向かうほど大きくなるように形成されている。
【００３４】
すなわち、このような構成にすることにより、使用者が携帯端末５０の表示器Ｒを読取窓１２に近づけるときに、使用者の手が突出部１１４ａ，１１４ｂと干渉し難くなる。このため、携帯端末５０を読取窓１２により確実に導くことができる。
【００３５】
［第２実施形態］
次に、本発明の第２実施形態に係る光学的情報読取装置１０について、図５および図６を参照して説明する。
本第２実施形態では、ケース１１のうち読取窓１２に近接する周辺部２１３の形状が異なる点以外は、上記第１実施形態と同様である。以下、これ以外の上記第１実施形態との相違点を中心に述べる。なお、第１実施形態の光学的情報読取装置１０と実質的に同一の構成部分には、同一符号を付し、その説明を省略する。
【００３６】
図５に示すように、ケース１１のうち読取窓１２に近接する周辺部２１３に突出部２１４ａ，２１４ｂが設けられており、この突出部２１４ａ，２１４ｂには、傾斜面２１５ａ，２１５ｂがそれぞれ形成されている。そして、本第２実施形態では、これら傾斜面２１５ａ，２１５ｂは、凸曲面状に形成されている。また、図５に示すように、突出部２１４ａ，２１４ｂ同士の距離が、読取窓１２の長手方向中央から両端に向かうほど大きくなるように形成されている。
【００３７】
図６（Ａ），（Ｂ）は、このように構成される光学的情報読取装置１０に、携帯端末５０が置かれた様子を示している。光学的情報読取装置１０に携帯端末５０が置かれると、図６（Ａ）に示すように、携帯端末５０のケース５１のみが傾斜面２１５ａ，２１５ｂに接触し、表示器Ｒは傾斜面２１５ａ，２１５ｂと接触しないため、携帯端末５０の表示器Ｒの傷付きを防止することができる。また、図６（Ｂ）に示すように、本第２実施形態では、傾斜面２１５ａ，２１５ｂは凸曲面状に形成されているため、携帯端末５０を光学的情報読取装置１０に置いたときに、携帯端末５０は傾斜面２１５ａ，２１５ｂと接点位置Ｐで点接触する。そして、携帯端末５０が接触する傾斜面２１５ａ，２１５ｂには角張った部分がないため、携帯端末５０が光学的情報読取装置１０に置かれても、携帯端末５０の損傷を確実に防止することができる。また、使用者が携帯端末５０の表示器Ｒを読取窓１２に近づけるときに、使用者の手が突出部２１４ａ，２１４ｂと干渉し難くなる。
【００３８】
このように、本第２実施形態の光学的情報読取装置１０では、ケース１１のうち読取窓１２に近接する周辺部２１３に設けられる突出部２１４ａ，２１４ｂの傾斜面２１５ａ，２１５ｂが、凸曲面状に形成されている。これにより、携帯端末５０が突出部２１４ａ，２１４ｂと接触する場合、携帯端末５０は突出部２１４ａ，２１４ｂ（すなわち傾斜面２１５ａ，２１５ｂ）と点で接触するため、携帯端末５０が突出部と面や線で接触する場合に比べて接触面積が小さくなり、当該携帯端末５０の損傷をより確実に防止することができる。
【００３９】
［第３実施形態］
次に、本発明の第３実施形態に係る光学的情報読取装置１０について、図７を参照して説明する。
本第３実施形態では、ケース１１のうち読取窓１２に近接する周辺部３１３の形状が異なる点以外は、上記第１実施形態と同様である。以下、これ以外の上記第１実施形態との相違点を中心に述べる。なお、第１実施形態の光学的情報読取装置１０と実質的に同一の構成部分には、同一符号を付し、その説明を省略する。
【００４０】
図７に示すように、ケース１１のうち読取窓１２に近接する周辺部３１３には、突出部３１４ａ，３１４ｂ設けられている。突出部３１４ａには、傾斜面３１５ａ，３１５ｃが形成されており、突出部３１４ｂには、傾斜面３１５ｂ，３１５ｄが形成されている。そして、周辺部３１３のうち、傾斜面３１５ｃ，３１５ｄが形成されている側の長手方向一側（図７において手前側）は、傾斜面３１５ａ，３１５ｂが形成されている側の長手方向他側（図７において奥側）よりも外方への高さ（照明光Ｌｆの出射方向への高さ）が相対的に低く形成されている。この構成により、携帯端末５０の表示器Ｒに表示される光学的情報Ｑを読み取る際に、傾斜面３１５ｃ，３１５ｄが形成されている側の長手方向一側から、使用者が携帯端末５０の表示器Ｒを読取窓１２に近づけることで、使用者の手が突出部３１４ａ，３１４ｂと干渉し難くなる。
【００４１】
すなわち、本第３実施形態では、ケース１１のうち読取窓１２に近接する周辺部３１３は、１対の突出部３１４ａ，３１４ｂを除き、一部の外方への高さが残部よりも相対的に低く形成されている。このように、読取窓１２に近接する周辺部３１３の一部が、他の部分に比べて相対的に低くなっているので、携帯端末５０の表示器Ｒに表示される光学的情報Ｑを読み取る際に、使用者がこの低くなっている部分に手を入れて、携帯端末５０を読取窓１２に近づけることができる。このため、使用者の手がケース１１の突出部３１４ａ，３１４ｂと干渉し難くなり、携帯端末を読取窓に確実に導くことができる。
【００４２】
［第４実施形態］
次に、本発明の第４実施形態に係る光学的情報読取装置１０について、図８を参照して説明する。
本第４実施形態では、ケース１１のうち読取窓１２に近接する周辺部４１３の形状が異なる点以外は、上記第１実施形態と同様である。以下、これ以外の上記第１実施形態との相違点を中心に述べる。なお、第１実施形態の光学的情報読取装置１０と実質的に同一の構成部分には、同一符号を付し、その説明を省略する。
【００４３】
図８に示すように、ケース１１のうち読取窓１２に近接する周辺部４１３に突出部４１４ａ，４１４ｂが設けられており、突出部４１４ａ，４１４ｂには、読取窓１２から離れるほど外方に高くなるように傾斜する傾斜面４１５ａ，４１５ｂがそれぞれ形成されている。そして、周辺部４１３の長手方向一側（図８において手前側）は、読取窓１２から離れるほど長手方向他側（図８において奥側）に対してより低くなるように傾斜している。この構成により、携帯端末５０の表示器Ｒに表示される光学的情報Ｑを読み取る際に、周辺部４１３の長手方向一側から、使用者が携帯端末５０の表示器Ｒを読取窓１２に近づけることで、使用者の手が突出部４１４ａ，４１４ｂとより干渉し難くなる。
【００４４】
このように、本第４実施形態では、ケース１１のうち読取窓１２に近接する周辺部４１３の長手方向一側は、読取窓１２から離れるほど長手方向他側に対してより低くなるように傾斜している。この構成により、携帯端末５０の表示器Ｒに表示される光学的情報Ｑを読み取る際に、使用者が携帯端末５０を読取窓１２に近づけるときに、使用者の手がケース１１とより干渉し難くなり、携帯端末５０を読取窓１２により確実に導くことができる。
【００４５】
［第５実施形態］
次に、本発明の第５実施形態に係る光学的情報読取装置１０について、図９を参照して説明する。
本第５実施形態では、ケース１１のうち読取窓１２に近接する周辺部５１３の形状が異なる点以外は、上記第１実施形態と同様である。以下、これ以外の上記第１実施形態との相違点を中心に述べる。なお、第１実施形態の光学的情報読取装置１０と実質的に同一の構成部分には、同一符号を付し、その説明を省略する。
【００４６】
図９に示すように、ケース１１のうち読取窓１２に近接する周辺部５１３に１対の突出部５１４ａ，５１４ｂが設けられている。さらに、本第５実施形態では、この１対の突出部５１４ａ，５１４ｂに加えて、読取窓１２の周辺部５１３に、突出部５１４ｃ〜５１４ｅが設けられている。そして、これら突出部５１４ａ〜５１４ｅには、読取窓１２から離れるほど外方に高くなるように傾斜する傾斜面５１５ａ〜５１５ｅがそれぞれ形成されている。
【００４７】
また、図９に示すように、突出部５１４ｃ〜５１４ｅは、周辺部５１３の長手方向他側（図９において奥側）に形成されている。この構成により、携帯端末５０の表示器Ｒに表示される光学的情報Ｑを読み取る際に、周辺部５１３の長手方向一側（図９において手前側）から、使用者が携帯端末５０の表示器Ｒを読取窓１２に近づけることで、携帯端末５０を所望の位置（すなわち、表示器Ｒが読取窓１２内に収まる位置）に位置決めしやすくなる。また、突出部５１４ａ〜５１４ｅは、周辺部５１３の長手方向一側（図９において手前側）には形成されていないので、使用者の手が突出部５１４ａ〜５１４ｅとより干渉し難くなる。
【００４８】
すなわち、本第５実施形態では、ケース１１のうち読取窓１２に近接する周辺部５１３には、少なくとも３つ以上の突出部が形成されているので、携帯端末５０の表示器Ｒに表示される光学的情報Ｑを読み取る際に、使用者が携帯端末５０を読取窓１２に近づけるときに、携帯端末５０を所望の位置に位置決めしやすくなる。
【００４９】
次に、本発明の第５実施形態における変形例に係る光学的情報読取装置１０について、図１０を参照して説明する。
本第５実施形態における変形例では、ケース１１のうち読取窓１２に近接する周辺部５１３の形状が異なる点以外は、上記第５実施形態と同様である。以下、これ以外の上記第５実施形態との相違点を中心に述べる。なお、第５実施形態の光学的情報読取装置１０と実質的に同一の構成部分には、同一符号を付し、その説明を省略する。
【００５０】
図１０に示すように、ケース１１のうち読取窓１２に近接する周辺部５１３に、１対の突出部５１４ａ，５１４ｂが設けられている。さらに、本変形例では、この１対の突出部５１４ａ，５１４ｂに加えて、読取窓１２の周辺部５１３に、突出部５１４ｃが設けられている。この突出部５１４ｃは、周辺部５１３の長手方向他側（図１０において奥側）に形成されており、突出部５１４ａ，５１４ｂと一体的に設けられている。そして、これら突出部５１４ａ〜５１４ｃには、読取窓１２から離れるほど外方に高くなるように傾斜する傾斜面５１５ａ〜５１５ｃがそれぞれ形成されている。
【００５１】
本変形例では、この構成により、携帯端末５０の表示器Ｒに表示される光学的情報Ｑを読み取る際に、周辺部５１３の長手方向一側（図１０において手前側）から、使用者が携帯端末５０の表示器Ｒを読取窓１２に近づけることで、携帯端末５０を所望の位置（すなわち、表示器Ｒが読取窓１２内に収まる位置）に位置決めしやすくなる。また、突出部５１４ａ〜５１４ｃは、周辺部５１３の長手方向一側（図１０において手前側）には形成されていないので、使用者の手が突出部５１４ａ〜５１４ｃとより干渉し難くなる。
【００５２】
次に、本発明の第６実施形態に係る光学的情報読取装置１０について、図１１を参照して説明する。
本第６実施形態では、ケース１１のうち読取窓１２に近接する周辺部６１３の形状が異なる点以外は、上記第１実施形態と同様である。以下、これ以外の上記第１実施形態との相違点を中心に述べる。なお、第１実施形態の光学的情報読取装置１０と実質的に同一の構成部分には、同一符号を付し、その説明を省略する。
【００５３】
図１１（Ａ）に示すように、ケース１１のうち読取窓１２に近接する周辺部６１３に突出部６１４ａ，６１４ｂが設けられており、突出部６１４ａ，６１４ｂには、読取窓１２から離れるほど外方に高くなるように傾斜する傾斜面６１５ａ，６１５ｂがそれぞれ形成されている。そして、本第６実施形態では、図１１（Ａ），（Ｂ）に示すように、傾斜面６１５ａ，６１５ｂは、読取窓１２に近接する一部が外方へそれぞれ突出している。そして、読取窓１２に近接する傾斜面６１５ａ，６１５ｂの一部に段部６１６ａ，６１６ｂが形成されている。この構成により、携帯端末５０が傾斜面６１５ａ，６１５ｂに沿うように落下した場合には、図１１（Ｂ）に示すように、段部６１６ａ，６１６ｂにて、携帯端末５０のケース５１の一部が受け止められることとなる。
【００５４】
このように、本第６実施形態では、傾斜面６１５ａ，６１５ｂは、読取窓１２に近接する一部が外方へ突出するように形成されている。そして、この構成により、読取窓１２に近接する傾斜面６１５ａ，６１５ｂの一部に段部６１６ａ，６１６ｂができることとなり、携帯端末５０の表示器Ｒに表示される光学的情報Ｑを読み取る際に、使用者が誤って携帯端末５０を当該読取装置１０上へ傾斜面に沿うように落下させてしまっても、この段部６１６ａ，６１６ｂで携帯端末５０が受け止められる。このため、携帯端末５０が読取窓１２に接触せず、携帯端末５０の損傷を確実に防止することができるとともに、読取窓１２の損傷も防止することができる。
【００５５】
なお、本発明は上記各実施形態に限定されるものではなく、以下のように具体化してもよく、その場合でも、上記各実施形態と同等の作用・効果が得られる。
（１）上記第１実施形態において、図１２に示すように、１対の突出部１１４ｃ，１１４ｄにそれぞれ設けられる傾斜面１１５ｃ，１１５ｄと、周辺部１３のうち突出部１１４ｃ，１１４ｄが形成されていない部分とは、連続した曲面になっていてもよい。ケース１１のうち読取窓１２に近接する周辺部１３がこの形状であっても、上記第１実施形態と同様の効果を得ることができる。
（２）上記第４実施形態において、読取窓１２は、周辺部４１３の長手方向の傾斜に合わせて、当該読取窓１２の長手方向一側が長手方向他側よりも低くなるように傾斜して設けられていてもよい。
【符号の説明】
【００５６】
１０…光学的情報読取装置
１１…ケース
１２…読取窓
１３，２１３，３１３，４１３，５１３，６１３…周辺部
１４ａ，１４ｂ，１１４ａ〜１１４ｄ，２１４ａ，２１４ｂ，３１４ａ，３１４ｂ，４１４ａ，４１４ｂ，５１４ａ〜５１４ｅ，６１４ａ，６１４ｂ…突出部
１５ａ，１５ｂ，１１５ａ〜１１５ｄ，２１５ａ，２１５ｂ，３１５ａ〜３１５ｄ，４１５ａ，４１５ｂ，５１５ａ〜５１５ｅ，６１５ａ，６１５ｂ…傾斜面
５０…携帯端末
Ｑ…光学的情報
Ｒ…表示器
【図１】
2011170432.tif 000003
【図２】
2011170432.tif 000004
【図３】
2011170432.tif 000005
【図４】
2011170432.tif 000006
【図５】
2011170432.tif 000007
【図６】
2011170432.tif 000008
【図７】
2011170432.tif 000009
【図８】
2011170432.tif 000010
【図９】
2011170432.tif 000011
【図１０】
2011170432.tif 000012
【図１１】
2011170432.tif 000013
【図１２】
2011170432.tif 000014